(57)【要約】  本開示は、無線信号カバレッジを提供する装置に関する。装置は、無線信号トランシーバと、ゾーン内で無線信号トランシーバを移動させる変位アセンブリとを含む。装置は、ゾーン内の無線信号カバレッジと、無線信号カバレッジにアクセスするように動作可能な無線装置のゾーンに対する位置とに基づいて、可動装置を移動させるために変位アセンブリを制御するように構成されたプロセッサを設けられる。
2019525511.tif 000002
【特許請求の範囲】
【請求項１】
無線信号カバレッジを提供する装置であって、
無線信号トランシーバと、
ゾーン内で前記無線信号トランシーバを移動させる変位アセンブリと、
前記ゾーン内の無線信号カバレッジと、前記無線信号カバレッジにアクセスするように動作可能な無線装置の前記ゾーンに対する位置とに基づいて、可動装置を移動させるために前記変位アセンブリを制御するように構成されたプロセッサと、
を含む装置。
【請求項２】
前記無線信号トランシーバが、ネットワークへのアクセスを提供する、請求項１に記載の装置。
【請求項３】
前記装置が、WiFi中継器を含む、請求項１に記載の装置。
【請求項４】
前記装置が、ゲートウェイの一部である、請求項１又は２に記載の装置。
【請求項５】
前記無線信号カバレッジが、前記ゾーンで測定された受信信号強度インジケータに基づいている、請求項１又は２に記載の装置。
【請求項６】
前記装置の移動経路上の障害物の存在を検出する障害物センサを更に含み、前記プロセッサが、障害物検出に基づいて、前記変位アセンブリの移動を制御する制御信号を生成するように構成されている、請求項１〜５のいずれか一項に記載の装置。
【請求項７】
前記プロセッサが、前記無線装置の使用に基づいて、前記変位アセンブリの移動を制御する制御信号を生成するように更に構成されている、請求項１〜６のいずれか一項に記載の装置。
【請求項８】
前記無線装置の位置が、音声認識コマンド、ＧＰＳ信号、三角測量、赤外線信号検出、振動検出、オーディオ検出の少なくとも１つに基づいて決定される、請求項１〜７のいずれか一項に記載の装置。
【請求項９】
前記無線装置の位置が、ユーザ行動履歴に基づいて予測される、請求項１〜８のいずれか一項に記載の装置。
【請求項１０】
複数の無線装置に無線カバレッジを提供するように構成され、前記プロセッサが、前記複数の無線装置の優先順位に基づいて前記変位を制御するように構成されている、請求項１〜９のいずれか一項に記載の装置。
【請求項１１】
ゾーンにおける無線信号カバレッジを提供する方法であって、
前記ゾーン内の前記無線信号カバレッジと、前記無線信号カバレッジにアクセスするように動作可能な無線装置の前記ゾーンに対する位置とに基づいて、無線信号カバレッジを提供する可動装置の移動を制御することを含む方法。
【請求項１２】
前記装置の移動経路上の障害物の存在を検出することと、障害物検出に基づいて前記装置の移動を制御する制御信号を生成することとを更に含む、請求項１１に記載の方法。
【請求項１３】
前記無線装置の使用に基づいて、前記装置の移動を制御することを更に含む、請求項１１又は１２に記載の方法。
【請求項１４】
前記無線装置の位置が、音声認識コマンド、ＧＰＳ信号、三角測量、赤外線信号検出、振動検出、オーディオ検出の少なくとも１つに基づいて決定される、請求項１１〜１３のいずれか一項に記載の方法。
【請求項１５】
請求項１１〜１４のいずれか一項に記載の方法を実行するための命令を自らに格納した非一時的なコンピュータ可読記憶媒体。
【発明の詳細な説明】
【技術分野】
【０００１】
本開示は、無線カバレッジを提供する方法及び装置に関する。限定的ではないが、特に実施形態は、無線ネットワークアクセスを提供する可動装置（mobile device）、例えば無線ローカルエリアネットワークの可動中継器か又はネットワークへのアクセス用の少なくとも部分的に可動なゲートウェイに関する。可動装置の移動は、無線カバレッジ及びユーザ位置に基づいてもよい。
【背景技術】
【０００２】
家庭環境などのローカルエリアにおける無線カバレッジは、場所に従って変化する可能性がある。無線通信は、電波信号（例えばWiFi（登録商標）等）、赤外線信号などの無線信号による通信を含んでもよい。所与のゾーンにおけるローカルエリアネットワークＷＬＡＮ接続、例えばWiFi接続は、映画を見る、買い物をする、検索する、且つ多数のアプリケーションを実行するために、インターネットなどのワイドエリアネットワーク（ＷＡＮ）にアクセスするための不可欠な要素になり得る。例えば家庭環境におけるユーザは、均一で優れたWiFiカバレッジを体験できないことが多い。これは、WiFi信号の強度及び従ってカバレッジの質が、ユーザ装置がゲートウェイ又はアクセスポイント（ＡＰ）から離れれば離れるほど低下するからである。更に、壁及び物体（家具、器具．．．）などの障害物が、カバレッジの質を更に低下させる。
【０００３】
本開示は、前述のことを念頭に考案された。
【発明の概要】
【０００４】
一般的な形態では、本開示は、所与のゾーンにおける無線信号カバレッジを提供する可動装置であって、ゾーン内の無線カバレッジ及び／又はゾーンに対するユーザの位置に従って変位される可動装置に関する。実施形態は、ネットワーク、例えばＷＬＡＮ、ＬＡＮ、ＷＡＮネットワークへの可動アクセスポイントに関係してもよい。可動アクセスポイントは、例えば無線中継器（WiFi信号を増幅するか若しくは強化する）又はワイドエリアネットワークへのアクセスを提供するゲートウェイ装置の少なくとも一部であってもよい。
【０００５】
本開示の第１の態様によれば、無線信号カバレッジを提供する装置であって、無線信号カバレッジを提供するために、無線信号を受信し送信する無線信号トランシーバと、ゾーン内で無線信号トランシーバを移動させる変位アセンブリと、ゾーン内の無線信号カバレッジ、及び無線信号カバレッジにアクセスするように動作可能な無線装置のゾーンに対する位置に基づいて、可動装置を移動させるために変位アセンブリを制御するように構成されたプロセッサとを含む装置が提供される。
【０００６】
実施形態において、可動アクセスポイント装置は、WiFi中継器である。別の実施形態において、可動アクセスポイント装置は、ゲートウェイ装置の一部を含む。
【０００７】
実施形態において、所与のゾーン内のWiFiカバレッジは、マップされる。カバレッジは、例えばＲＳＳＩを測定することによってマップされてもよい。プロセッサは、マップされたカバレッジに基づいて、可動装置を移動させるように構成されてもよい。
【０００８】
可動性は、例えば車輪付きプラットフォーム、球状回転装置によって提供されてもよい。移動は、WiFiカバレッジ及びユーザの位置に従ってプロセッサによって導かれる。
【０００９】
実施形態において、ユーザの位置及び可動性のパターンは、例えば予め中継器若しくはゲートウェイ装置を位置決めするために、且つ／又はそれらの位置を必要に応じて適合させるために学習される。
【００１０】
ユーザの位置は、例えばｇｐｓか、ユーザの声か、又はテキスト入力によって決定されてもよい。
【００１１】
実施形態において、装置、位置及び帯域幅割り当てごとの使用の学習パターンが、体験の質ＱｏＥ（例えばビデオ対メール閲覧）を最適化するように決定される。
【００１２】
実施形態において、方法は、複数のロボット装置用に、複数のＡＰ用に、複数の無線技術用に、密集したアパート環境における複数の家庭用にさえ最適化される。
【００１３】
実施形態において、中継器又はゲートウェイ用のロボット装置は、以下における１つ又は複数を実行するように構成された１つ又は複数のプロセッサを設けられる。即ち、
−  ユーザの位置を特定し、WiFiカバレッジレイアウトをマップすることと、
−  ユーザ装置（決定された位置に基づいた）が、貧弱なWiFiカバレッジエリアにあると識別することと、
−  例えば、静的又は動的な自律的無線カバレッジマップを構築することと、
−  ユーザのカバレッジを改善するための最適な静止位置を識別することと、
−  所与のレイアウト、ユーザ位置及びカバレッジマップに最適化を提供することと、
−  Ｋの周知の位置の１つにおける「区分的に静的なユーザ」に最適化を広げることと、
−  ユーザ履歴に基づいた学習を追加し、ユーザ履歴に従って適切な位置でロボット装置を予め位置決めすることと、
−  履歴的なユーザパターンを学習し、それに応じてロボット移動を計画し実行することと、
−  Ｎユーザのより一般的な事例を扱うことと、
である。
【００１４】
更なる態様は、メモリと、１つ又は複数のプロセッサと、メモリに格納され、且つ１つ又は複数のプロセッサによる実行のために構成された１つ又は複数のモジュールであって、本開示で説明されるプロセスを実行するための命令を含む１つ又は複数のモジュールとを含む電子装置を提供する。
【００１５】
別の態様は、ゾーンにおける無線信号カバレッジを提供する方法であって、ゾーン内の無線信号カバレッジと、無線信号カバレッジにアクセスするように動作可能な無線装置のゾーンに対する位置とに基づいて、無線信号カバレッジを提供する可動装置の移動を制御することを含む方法を提供する。
【００１６】
実施形態によって実行されるプロセスの幾つかのステップは、コンピュータによって実行されてもよい。従って、かかる要素は、完全なハードウェア実施形態、完全なソフトウェア実施形態（ファームウェア、常駐ソフトウェア、マイクロコード等を含む）、又は本明細書で一般に全て「回路」、「モジュール」若しくは「システム」と呼ばれるソフトウェア及びハードウェアの態様を組み合わせる実施形態の形を取ってもよい。更に、かかる要素は、コンピュータが使用可能なプログラムコードを媒体に具体化する任意の有形表現媒体に具体化されたコンピュータプログラムプロダクトの形を取ってもよい。
【００１７】
少なくとも幾つかの特徴が、ソフトウェアにおいて実現され得るので、本発明は、任意の適切なキャリヤ媒体における、プログラマブル機器に提供するためのコンピュータ可読コードとして具体化することができる。有形キャリヤ媒体は、フロッピーディスク、ＣＤ−ＲＯＭ、ハードディスクドライブ、磁気テープ装置、又はソリッドステートメモリ装置などの記憶媒体を含んでもよい。一時的キャリヤ媒体は、電気信号、電子信号、光信号、音響信号、磁気信号又は電磁気信号、例えばマイクロ波若しくはＲＦ信号などの信号を含んでもよい。
【００１８】
ここで本発明の実施形態が、例としてのみ、以下の図面に関連して説明される。
【図面の簡単な説明】
【００１９】
【図１】本開示の１つ又は複数の実施形態に従って、無線カバレッジの例を示す。
【図２】実施形態に従って、無線カバレッジを提供する装置を示す。
【図３】本開示の実施形態に従って、部分的に可動なゲートウェイ装置を含む無線システムの例を示す。
【図４】本開示の実施形態に従って、可動ロボット装置の例を示す。
【図５】実施形態による、無線カバレッジを提供する方法の流れ図である。
【発明を実施するための形態】
【００２０】
図１は、実施形態が実施され得るゾーン１０００の例を示す。ゾーンは、建物内の多数の部屋で構成された家庭環境である。ゲートウェイ装置１２００の形をしているネットワークアクセスポイントが、居間１００１内の無線ネットワークカバレッジを提供する。図１における無線信号強度マップ（ヒートマップに似ている）によって示されているように、無線ネットワークカバレッジの強度は、アクセスポイントからの距離と共に低下する。更に、建物におけるアクセスポイントと他のポイントとの間の、壁及び家具などの障害物の存在は、或るエリアにおける無線カバレッジに影響を与える。
【００２１】
ゾーンにおける無線信号カバレッジを提供する装置の実施形態が、図２に関連して説明される。
【００２２】
装置２００は、無線信号を送信及び受信する通信ユニット２１０と、ゾーン内で１つのポイントから別のポイントに装置２００を移動させる変位アセンブリ２２０と、無線信号カバレッジ、及び無線ネットワークにアクセスするように動作可能なユーザ無線装置２５０の位置に基づいて、装置２００を移動させる変位アセンブリ２２０にコマンドを供給するプロセッサ２３０とを含む。変位アセンブリ２２０は、グランドを横切って装置２００を移動させる車輪状又は球状の可動要素を含んでもよい。通信ユニット２１０は、例えばゲートウェイ装置２６０及びユーザ無線装置２５０と無線信号を交換する。幾つかの実施形態において、通信ユニット２１０は、ゲートウェイ２６０又はユーザ装置２５０から受信された無線信号を強化又は中継するために、WiFi中継器として動作してもよい。
【００２３】
プロセッサ２３０は、無線ユーザ装置２５０の位置に基づいて、装置２００を移動させるために変位アセンブリ２２０に制御信号を供給するように構成されている。このように、装置２００は、よりよい無線ネットワークカバレッジを無線ユーザ装置２５０に提供するために移動させることができる。装置２００が、可動なので、それは、改善された無線カバレッジをユーザ無線装置２５０に提供するために、ローカルエリアのどこにでも移動され得る。
【００２４】
幾つかの実施形態において、無線カバレッジを提供する装置は、ゲートウェイの一部であってもよい。かかるゲートウェイは、ドッキングステーションに似ている不動部と、ドッキングステーションと協力する可動部とを含んでもよい。不動部は、有線インターネットアクセス、即ちケーブル、ＤＳＬ、ファイバ等に接続可能である。ゲートウェイはまた、電源へのアクセス、可動部への接続、及びWiFiなどの他の無線接続性と、前の実施形態の可動装置２００に似ている可動部とを含む。可動部もまた、WiFi及び／又は他の無線能力を有してもよい。
【００２５】
幾つかの実施形態において、無線カバレッジを提供する可動装置は、コンテキスト認識及び位置認識用の感知コンポーネントを含んでもよい。
【００２６】
ゾーンにおける無線信号カバレッジを提供するシステムの特定の実施形態が、図３に関連して説明される。
【００２７】
システム３００は、ゲートウェイ装置３１０と、ドッキングステーション３２０と、ドッキングステーション３２０と関連する可動ロボット装置３３０とを含む。図示の実施形態において、ドッキングステーションは、ゲートウェイと別個であるが、他の実施形態において、ドッキングステーション３３０が、ゲートウェイ３１０の一部であってもよいことが認識されよう。ゲートウェイ装置３１０は、有線インターネットアクセス、即ちケーブル、ＤＳＬ、ファイバ等に接続可能であり、且つ無線ローカルエリアネットワークによってアクセスを提供する。
【００２８】
無線ユーザ装置３５０は、無線装置３５０用のWiFiカバレッジを向上させるために、無線ユーザ装置３５０の位置の方へ移動する可動ロボット装置３３０により、ゲートウェイ装置３１０を介してインターネットにアクセスすることができる。無線リンクは、ユーザ無線装置３５０と可動ロボット装置３３０との間で、且つ可動ロボット装置３３０と、ゲートウェイ３１０と通信するドッキングステーション３２０との間で設定される。
【００２９】
幾つかの実施形態において、可動ロボット装置３３０は、無線装置が、貧弱な無線カバレッジを有する場合を捕捉、推定及び／又は予想するように、且つその無線カバレッジをユーザ装置用に改善するために可動ロボット装置３３０自体を位置決めするように構成されてもよい。可動ロボット装置３３０はまた、カバレッジを改善するために、ユーザの行動に依存して、その位置を適合することができる。このように、可動ロボット装置３３０は、ユーザの習慣が学習され、それに応じてユーザ位置が予測される場合に、優れた無線ネットワークカバレッジを無線装置ユーザに提供するために、適切な位置に予め位置決めされ得る。
【００３０】
ユーザが貧弱なカバレッジを有する場合及びユーザが移動する場所等がどのように推定又は予測されるかが、更に説明される。
【００３１】
図４は、実施形態に従って、ネットワークへの無線アクセスポイントに可動性を提供する可動装置の３つの例を示す。図示の装置は、WiFi中継器、又はゲートウェイの一部であってもよい。
【００３２】
ロボット中継器Ａ及びＢは、動き回るための３つ又は４つの電池式車輪と、経路上の障害を検出するセンサとを設けられる。ロボットＣは、ボールか球の形をしている可動装置、例えばSphero SPRKであり、それは、例えば、無線カバレッジを提供するゲートウェイの一部又は中継器などの積み荷を運ぶブラック構造であるチャリオットと共に可動性を提供する。
【００３３】
しかしながら、ロボット中継器又はロボットゲートウェイ装置など、無線信号カバレッジを提供する可動装置用の変位アセンブリは、限定するわけではないが、例えば
■  車輪付きプラットフォームと、
■  球内の可動無線カバレッジ装置（例えばWiFi中継器又は可動ゲートウェイ部）である球又は他の幾何学的形状に基づいたプラットフォームと、
■  ロボット＋ドッキングステーションであって、例えば電池を充電するためにロボットがドッキングステーションに戻るロボット＋ドッキングステーションと、
■  ドローンか、ドローン＋ドッキングステーションの組み合わせか、又はドローン＋地上ロボット＋ドッキングステーションと、
■  気球、例えばヘリウムベースの気球若しくはツェッペリン型飛行船、又は同様の種類の装置と、
■  脚型ロボットか、蛇型フォームファクタか、又は可動性を可能にする任意の他のフォームファクタと、
などの他の任意の数のフォームファクタを有し得ることが認識されよう。
【００３４】
幾つかの実施形態において、無線カバレッジを提供する可動装置は、コンテキスト認識及び位置認識用の感知コンポーネントを含んでもよい。
【００３５】
実施形態において、無線アクセスを提供する装置、例えばロボット中継器又はロボットゲートウェイ装置は、ユーザが貧弱なカバレッジを有する場合を捕捉、推定、又は予測し、且つそれ自体を位置決めして、そのカバレッジを改善するように構成されてもよい。無線カバレッジを決定するために、装置は、図１に示されているヒートマップなど、家におけるWiFiカバレッジの「ヒートマップ」を取得するか又は作成することができる。これは、使用ゾーンを歩き回る、且つ相異なる位置の信号強度を測定する装置又は別の無線カバレッジ推定装置によって実行されてもよい。カバレッジの質は、受信信号強度インジケータ（ＲＳＳＩ）を用いて測定されてもよい。ＲＳＳＩは、典型的には、一般に０〜−１２０ｄＢまでのデシベルで測定され、カバレッジが優れていればいるほど０に近い。ＲＳＳＩ＞−４５ｄＢは優れており、−５０ｄＢ未満は、普通か又はより悪い。
【００３６】
ユーザ装置の位置は、決定又は予測されてもよく、且つヒートマップ及びユーザの推定された位置を組み合わせることによって、ユーザ装置が、優れた又は貧弱な無線カバレッジを有するかどうかが決定されてもよい。幾つかのツールは、例えば図１に示されているように、家庭における位置の関数としてＲＳＳＩをプロットすることによって、WiFiカバレッジの「ヒートマップ」が測定され描かれ得るようにする。
【００３７】
ユーザの無線ユーザ装置の位置は、多数の手法で決定され得る。
■  例えば「私は台所にいる」又は「座標ｘｙｚにいる」というユーザの位置を示す、ユーザから受信された声（音声認識による）又はテキスト情報。
■  ロボットに対するユーザの位置を推定するために用いることができるオーディオ、振動又は他のセンサなどのセンサを用いること（歩行による強い振動は、ユーザが装置に近いことを示す）、又は赤外線、ＵＷＢ（超広帯域）センサ又は他のセンサのような距離センサを用いること。
■  ユーザ行動を捕捉するデータ、例えば可動アクセスポイントによって読み取られる、ユーザから受信したＲＳＳＩ（ユーザと無線ＡＰとの間の距離を示す）を用いること。
■  例えばユーザの電話又はタブレットで実行されているアプリケーションを介して受信した、ユーザから直接の、ｇｐｓ又は三角測量（WiFi又は他のもの）。
■  信号強度又はカバレッジに関するＲＳＳＩ又は他の情報が、ユーザから直接取得されてもよく、例えばユーザが装着している電話、タブレット、若しくはウェアラブルなどの装置上で、又は例えば「カバレッジが悪い」と言うユーザからの声又はテキストコマンドを介して測定される。
【００３８】
無線カバレッジを提供する装置は、アクセスポイント（そこにおいて我々は、ユーザカバレッジ情報をプッシュ又はプルすることが可能である）、クラウド、又は他の或る第三者サービス若しくはアプリケーションなどの第三者を介して、ＲＳＳＩ又は他の関係のある無線カバレッジ情報を取得してもよい。
【００３９】
装置が、リアルタイムで情報を取得してもよいこと、情報が、事前に取得されてもよいこと、又はユーザカバレッジデータが、（例えば、ユーザ習慣及びカバレッジデータに関する過去の情報を用いて、予測解析論技法を用いて）予測され得ることに留意されたい。
【００４０】
ユーザが、無線装置で無線ネットワークにアクセスするためのカバレッジが低いと推定又は予測される場合に、可動装置は、それに応じて移動されてもよい。
【００４１】
例えば家など、監視エリアの任意の場所において、可動装置は、ユーザ体験を改善するか、（例えば、ＲＳＳＩレベルを０に向けて増加させる）又はユーザのための体験メトリックの任意の他の質を改善する。
【００４２】
例えば、ロボット中継器又はゲートウェイは、ユーザカバレッジ又は体験以外の基準、例えば、利便性（家庭における人のよく通る経路の外に留まる、戸口から離れている等。可動性がドローンによって提供される場合に、装置は、衝突を回避するために、ユーザの身長より高い高さで飛ぶことが可能である等）を考慮し、ロボット用の電池使用を最小化するか又は電力関連問題を最適化し、ロボットが動く経路を最短化し、障害物を回避し、WiFiに関してユーザ活動に適合する（例えば、ユーザが映画を見ている場合に、ロボットは、ユーザＲＳＳＩを最適化しようとするが、しかしユーザが、メールを送信しているか、又は閲覧している場合に、ＯＫカバレッジ（ある合理的な値の上のＲＳＳＩ）を提供しようとするだけである）。
【００４３】
上記で言及したように、ロボット中継器又はゲートウェイはまた、ユーザに関する学習された行動又はコンテキスト情報、空間構成、ＡＰの特徴等に基づいて、それ自体を予め位置決めすることができる。かかる情報は、装置上のセンサから、又は別の装置によって取得されたセンサデータから取得することが可能である。
【００４４】
ロボット中継器又はゲートウェイはまた、明示的な要求、例えば「ここに来て」又は「台所にいる」という声又はテキスト要求に応えることができる。
【００４５】
図５は、本発明の実施形態による無線カバレッジを提供する方法である。ステップＳ５０１において、使用ゾーンの無線カバレッジマップが取得される。上記のように、無線カバレッジマップは、使用ゾーンのＲＳＳＩ測定値に基づいてもよい。無線カバレッジマップは、可動無線カバレッジ装置に提供されるデータを用いて別の装置によって事前に取得されてもよく、又は可動無線カバレッジ装置によって実行された信号強度測定値によって取得されてもよい。
【００４６】
ステップＳ５０２において、無線カバレッジを用いるように動作可能なユーザ装置の位置が決定される。決定は、ユーザ履歴に基づいたユーザ装置の位置の予測であってよく、又は音声認識コマンド、ＧＰＳ信号、三角測量、赤外線信号検出、振動検出、オーディオ検出の少なくとも１つに基づいて決定されてもよい。
【００４７】
ステップＳ５０３において、プロセッサは、ユーザ装置への無線カバレッジが最適化されるように、無線カバレッジマップ及びユーザ装置の位置に基づいて制御信号を生成し、それに応じて変位アセンブリ装置を移動させる。
【００４８】
本発明の実施形態は、複数のロボット、複数のユーザ、複数のＡＰ、複数のタイプの無線接続及びカバレッジの事例に適用されてもよい。
【００４９】
例えば、無線カバレッジを提供する単一の可動装置に関し、装置は、複数のユーザの位置を取得、推定、又は予測し、装置は、それに応じて、それらのユーザに、より優れた又は最良のカバレッジを提供するように位置決めされる。位置は、例えば、多数の方針を満たすように、例えば単一の最優先ユーザ（他のユーザを無視する）用の最良のカバレッジのように、降順の優先権でユーザをランク付けし、優先権に応じてユーザのＲＳＳＩ／カバレッジ／信号強度を重くするように、最もひどい状態のユーザによって受信されるカバレッジを最大限にする等のように選択されてもよい。これらは、全て、マルチユーザ環境における古典的な最適化技法であり、それらの全ては、本明細書で考慮することが可能である。
【００５０】
無線カバレッジを提供する複数のロボット可動装置、及び複数のユーザ装置を含む実施形態において、ロボット可動装置は、ユーザ当たり１つ又は複数が割り当てられ得、又は１人又は複数のユーザが、単一のロボット可動装置に割り当てられてもよい。
【００５１】
本発明の幾つかの実施形態において、装置は、WiFi、Zigbee、セルラー、３／４／５／６Ｇ以上のＵＷＢなどの複数の技術／規格用に無線カバレッジを提供してもよい。
【００５２】
複数のロボット装置が用いられる実施形態において、ロボット装置は、互いに独立して動作するか、又は更なる最適化のために情報（例えば衝突を回避するためのそれらの位置、最適なチャネル割り当てためのWiFiチャネル使用、又はそれらの学習かコールドスタートプロセスを加速するコンテキスト情報）を共有するか、又は協力的に（例えばロボット中継器のメッシュを生成することによって）動作することができる。
【００５３】
本発明の実施形態はまた、例えば密集したアパート環境における複数のゾーン、例えば複数の家庭の場合に適合し、ロボットは、複数の家庭にわたって感知、学習及び位置決めを最適化する。例えば、１つ又は複数の可動ロボット装置は、アパート＃１及び下の階／上の階／隣のアパート＃２の両方におけるユーザにより優れたカバレッジを提供するために、アパート＃１において、よりうまくユーザの位置を特定し、且つロボット自体を位置決めするために用いられてもよい。
【００５４】
既に言及したように、スマート可動中継器のアイデアは、家庭用に作用するが、しかしまた企業において、工場現場において、飛行機において等でWiFi（又は他の無線接続）用に作用する。換言すれば、どこでもWiFi又は無線接続は提供される。
【００５５】
本発明の実施形態は、例えばネットワークへのアクセスポイント、例えば可動且つスマートに構成された中継器又はゲートウェイ装置を作ることに関する。
【００５６】
上記の設計は、「標準」ゲートウェイの通常の機能を提供し、改善されたカバレッジは、可動部によって提供される。可動部はまた、新しい能力を提供する。例えば、固定部及び可動部の両方にWiFi送信機及び受信アンテナを有することによって、家庭におけるユーザの高精度な位置測定と同様に、ユーザの呼吸パターン、ジェスチャ等の検出が可能になる。次に、このユーザ及びコンテキスト情報の全ては、個人化及び他の新しいサービス用に用いることができる。
【００５７】
別の手法は、ボックスを完全に解き放つことであり、それは、５Ｇ及び他にマイクロセル／異種ネットワークなどの技術で可能になる。そのとき、今日の静的なボックスは、スマート可動ボックスになる。電力は、電池、床の誘導充電、環境発電、又は上記の組み合わせによって供給することが可能である。
【００５８】
本発明の実施形態のコンポーネントは、機能モジュールによって実現されてもよく、機能モジュールは、識別可能な物理装置に対応してもしなくてもよい。例えば、複数のかかるモジュールが、独特なコンポーネント又は回路において関連付けられるか、又はソフトウェア機能に対応してもよい。更に、モジュールは、潜在的に、別個の物理的エンティティ又はソフトウェア機能から構成されてもよい。
【００５９】
機能モジュールは、例えばＶＬＳＩ回路又はゲートアレイを含むハードウェア回路、論理チップなどのディスクリート半導体コンダクタ、トランジスタ等として実現されてもよい。モジュールはまた、フィールドプログラマブルゲートアレイ、プログラマブルアレイ論理、プログラマブル論理装置などのプログラマブルハードウェア装置において実現されてもよい。
【００６０】
モジュールはまた、様々なタイプのプロセッサによる実行のためのソフトウェアにおいて実現されてもよい。実行可能コードのモジュール若しくはコンポーネントは、コンピュータ命令の１つ若しくは複数の物理若しくは論理ブロックを含んでもよく、又は例えばオブジェクト、手順若しくは機能として組織化されてもよい。モジュールの実行ファイルは、必ずしも一緒に位置しなくてもよい。
【００６１】
更に、モジュールはまた、ソフトウェア及び１つ又は複数のハードウェア装置の組み合わせとして実現されてもよい。例えば、モジュールは、運転データセットを操作するプロセッサの組み合わせにおいて具体化されてもよい。更に、モジュールは、送信回路を介して通信される電気信号の組み合わせにおいて実現されてもよい。
【００６２】
本開示は、特定の実施形態に関連して提示されたが、本発明は、特定の実施形態に限定されず、修正が、本発明の範囲内にいる当業者には明らかであろう。
【００６３】
例えば、前述の例は、WiFiカバレッジに関連して説明されたが、実施形態が、例えば赤外線通信などの他の無線通信を提供するために、用いられてもよいことが認識されよう。
【００６４】
本実施形態が、家庭環境の文脈で説明されるが、本発明の実施形態が、企業環境、工場現場、飛行機、列車等におけるネットワークアクセス用に適用されてもよいことが認識されよう。
【００６５】
多くの更なる修正及び変形が、前述の実例的な実施形態を参照すれば、当業者の心に浮かぶであろう。前述の実例的な実施形態は、例としてのみ与えられ、本発明の範囲を限定するようには意図されていない。本発明の範囲は、もっぱら添付の特許請求の範囲によって決定される。特に、相異なる実施形態からの相異なる特徴は、適切な場合に交換されてもよい。
【図１】
2019525511.tif 000003
【図２】
2019525511.tif 000004
【図３】
2019525511.tif 000005
【図４Ａ−４Ｂ】
2019525511.tif 000006
【図４Ｃ】
2019525511.tif 000007
【図５】
2019525511.tif 000008
【国際調査報告】
2019525511.tif 000009
2019525511.tif 000010
2019525511.tif 000011